(57)【特許請求の範囲】
【請求項１】
外径または幅の異なる各種収容物を挿入するための挿入孔が単数または複数形成されたフレーム部と、前記挿入孔に挿入された収容物を受ける受け部と、付勢部材により所定の基準位置となるよう付勢されるとともに、前記挿入孔に挿入された前記収容物の外面に当接してその収容物を保持する保持部材とを備え、同保持部材は、その先端部が前記挿入孔の内周面から内側に向かって突出するとともに、基端部が前記フレーム部に対して前記収容物の挿入方向に回動軸を中心として回動可能に軸支される収容具において、
前記保持部材を、１つの挿入孔に対して複数設けるとともに、それらの保持部材を、それぞれ前記１つの挿入孔の内周面からの突出量が異なるように配設したことを特徴とする収容具。
【請求項２】
少なくとも２つの前記保持部材は、少なくとも前記受け部とほぼ平行な状態をなす基準位置と、前記受け部とほぼ直角な状態をなす折曲位置とに配置され、前記挿入孔の内周面からの突出量が大きい保持部材から順に回動されるようにしたことを特徴とする請求項１に記載の収容具。
【請求項３】
前記各保持部材を、前記基準位置での先端部と前記受け部における前記収容物の載置面との距離がほぼ一定となるように配置したことを特徴とする請求項１または請求項２に記載の収容具。
【請求項４】
前記各保持部材は、前記基準位置における先端部の前記挿入孔の内周面からの突出量が小さな保持部材ほど前記先端部と前記受け部における前記収容物の載置面との距離が大きくなるように配置したことを特徴とする請求項１または請求項２に記載の収容具。
【請求項５】
前記保持部材は、１つの回動軸を共有した状態で配設されることを特徴とする請求項１〜請求項４のうちいずれか一項に記載の収容具。
【請求項６】
前記挿入孔の中心側に配置される中心側保持部材はその先端部と基端部との間に凹部または開口部を有し、その凹部または開口部内に前記挿入孔の外周側に配置される外周側保持部材を収容するようにしたことを特徴とする請求項１〜請求項５のうちいずれか一項に記載の収容具。
【請求項７】
前記外周側保持部材の上面には、基端部から先端部にかけて下がり勾配を有する傾斜部を設けたことを特徴とする請求項６に記載の収容具。
【請求項８】
前記中心側保持部材には、その凹部または開口部を横切るように延びる少なくとも１つの突条を設け、前記外周側保持部材には、その突条との干渉を回避する干渉回避手段を設けたことを特徴とする請求項６または請求項７に記載の収容具。
【請求項９】
前記各保持部材をその基準位置で前記収容物の挿入方向に重合されるように配設したことを特徴とする請求項１〜請求項８のうちいずれか一項に記載の収容具。
【請求項１０】
前記フレーム部は、前記挿入孔の周縁における前記保持部材の前記先端部と対向する部分の少なくとも一部に前記収容物の挿入方向に向かって突出する突出壁を備えることを特徴とする請求項１〜請求項９のうちいずれか一項に記載の収容具。
【請求項１１】
前記挿入孔の中心側に配置される中心側保持部材と、前記挿入孔の外周側に配置される外周側保持部材とを有し、前記収容物がその中央部と底部との間に全周にわたる窪み部を有する場合に、前記基準位置にある外周側保持部材は、前記収容物における前記窪み部より下方の膨らみ部の通過を許容するとともに、前記中心側保持部材はその先端部が回動状態で前記膨らみ部の頂部より下方に当接するようにしたことを特徴とする請求項１〜請求項１０のうちいずれか一項に記載の収容具。
【発明の詳細な説明】
【０００１】
【発明の属する技術分野】
本発明は、例えば、外径が異なる種々の飲み物用容器等の収容物を保持する収容具に関するものである。
【０００２】
【従来の技術】
従来、この種の収容具のうちで容器ホルダとしては、例えば、特開平１０−３２４１８８号公報により開示されるものが挙げられる。
【０００３】
図１４に示すように、この公報に記載される容器ホルダは、略円形の保持孔１００が形成されたフレーム部１０１と、側面形状がくの字状で前記フレーム部１０１に対して相対回動可能に支持される受け部１０２と、これらフレーム部１０１と受け部１０２とを収容する収容部１０３とを備える。
【０００４】
フレーム部１０１の裏面には、一側部が保持孔１００に開口するとともに上底１０４が保持孔１００の縁部の一部を形成する略方形の凹部１０５を有する。また、凹部１０５内には、平面略Ｕ字状に形成された針金からなる保持部材１０６が、その底部１０７が保持孔１００の中心に向かって所定だけ突出するように収容されている。保持部材１０６は、外方に屈曲した両先端部１０８が、凹部１０５における保持孔１００の内周面と連続する内側側面１０９の係合穴１１０に係合している。そして、同保持部材１０６は、その先端部１０８と内側側面１０９の係合穴１１０との係合により、同係合穴１１０を中心として回動可能に支持されている。また、凹部１０５の両内側側面１０９には、保持部材１０６の底部１０７側が上下に変位した際に保持部材１０６を基準位置（フレーム部１０１の上面１０１ａと平行をなす位置）にくるように案内する案内突起１１１が設けられている。
【０００５】
この従来の容器ホルダによれば、保持部材１０６の底部１０７の外面と保持孔１００の内周面との対向面間の距離以下の外径を有する飲み物用容器が保持孔１００に挿入される場合、その容器は、保持孔１００の内周面の一部と基準位置にある保持部材１０６とにより保持される。一方、前記距離よりも大きく、保持孔１００の内径以下の外径を有する容器が保持孔１００に挿入される場合、その容器は、保持孔１００の内周面の一部と、前記底部１０７が受け部１０２側に回動した保持部材１０６とにより保持される。また、保持孔１００の内径とほぼ同等の外径を有する容器が保持孔１００に挿入される場合、その容器は、保持孔１００の内周面により保持される。
【０００６】
【発明が解決しようとする課題】
ところが、前記従来の容器ホルダにおいては、前記保持孔１００に挿入される容器の外径が大きくなるほど、保持部材１０６は、その底部１０７が下方に変位した状態で容器を保持することとなる。これに対して、一般に、飲み物用容器は、その外径が大きくなると高さが大きくなり、重心も高い位置になる傾向がある。このため、前記従来の容器ホルダでは、外径の大きい飲み物用容器を保持する場合、保持孔１００の内周面全体で保持する場合を除いて、その容器を安定した状態で保持できず、車両の振動や車両回転時の慣性により、前記容器が転倒しやすくなるおそれがあった。そして、この問題は、外径の小さい容器から大きい容器までを共通の保持孔１００により保持可能とすべく、保持部材１０６の保持孔１００内への突出量が大きくなるほど、より顕著となる。
【０００７】
本発明は、このような従来の技術に存在する問題点に着目してなされたものである。その目的としては、収容物の外径または幅の大小に関わらず、安定した状態でその収容物をより確実に保持することができる収容具を提供することにある。
【０００８】
【課題を解決するための手段】
前記目的を達成するために、収容具に係る本願請求項１に記載の発明は、外径または幅の異なる各種収容物を挿入するための挿入孔が単数または複数形成されたフレーム部と、前記挿入孔に挿入された収容物を受ける受け部と、付勢部材により所定の基準位置となるよう付勢されるとともに、前記挿入孔に挿入された前記収容物の外面に当接してその収容物を保持する保持部材とを備え、同保持部材は、その先端部が前記挿入孔の内周面から内側に向かって突出するとともに、基端部が前記フレーム部に対して前記収容物の挿入方向に回動軸を中心として回動可能に軸支される収容具において、前記保持部材を、１つの挿入孔に対して複数設けるとともに、それらの保持部材を、それぞれ前記１つの挿入孔の内周面からの突出量が異なるように配設したことを要旨とするものである。
【０００９】
この本願請求項１に記載の発明では、複数設けられる保持部材により、挿入される外径または幅の異なる種々の収容物を、所定の基準位置またはその保持部材の回動量の少ない位置で保持することが可能になる。このため、収容物の外径または幅の大小に関わらず、安定した状態でその収容物をより確実に保持することが可能となる。
【００１０】
また、本願請求項２に記載の発明は、前記請求項１に記載の発明において、少なくとも２つの前記保持部材は、少なくとも前記受け部とほぼ平行な状態をなす基準位置と、前記受け部とほぼ直角な状態をなす折曲位置とに配置され、前記挿入孔の内周面からの突出量が大きい保持部材から順に回動されるようにしたことを要旨とするものである。
【００１１】
この本願請求項２に記載の発明では、前記請求項１に記載の発明の作用に加えて、収容物を挿入孔内に挿入するときに、その外径または幅が大きくなるに従って、各保持部材が順に回動される。よって、外径または幅が大きい収容物もスムーズに収容することができるとともに、収容物の外径または幅に応じた好適な保持状態が実現される。
【００１２】
また、本願請求項３に記載の発明は、前記請求項１または請求項２に記載の発明において、前記各保持部材を、前記基準位置での先端部と前記受け部における前記収容物の載置面との距離がほぼ一定となるように配置したことを要旨とするものである。
【００１３】
この本願請求項３に記載の発明では、前記請求項１または請求項２に記載の発明の作用に加えて、収容物の挿入方向におけるフレーム部の厚さを薄くすることが可能となり、収容具全体のコンパクト化が図られる。
【００１４】
また、本願請求項４に記載の発明は、前記請求項１または請求項２に記載の発明において、前記各保持部材は、前記基準位置における先端部の前記挿入孔の内周面からの突出量が小さな保持部材ほど前記先端部と前記受け部における前記収容物の載置面との距離が大きくなるように配置したことを要旨とするものである。
【００１５】
この本願請求項４に記載の発明では、前記請求項１または請求項２に記載の発明の作用に加えて、フレーム部の挿入孔に挿入される収容物の外径または幅が大きくなるほど、その収容物は、受け部からより離間した位置にある保持部材によって保持される。このため、外径または幅の拡大に伴って、重心位置がより高い位置に配置された収容物であっても、その収容物をより高い位置でその移動を規制することができ、収容物をより安定した状態で保持することが可能となる。
【００１６】
また、本願請求項５に記載の発明は、前記請求項１〜請求項４のうちいずれか一項に記載の発明において、前記保持部材は、１つの回動軸を共有した状態で配設されることを要旨とするものである。
【００１７】
この本願請求項５に記載の発明では、前記請求項１〜請求項４のうちいずれか一項に記載の発明の作用に加えて、複数の保持部材をフレーム部に組付ける際の組付け作業が容易となるとともに、収容具の製造コストが低減される。
【００１８】
また、本願請求項６に記載の発明は、前記請求項１〜請求項５のうちいずれか一項に記載の発明において、前記挿入孔の中心側に配置される中心側保持部材はその先端部と基端部との間に凹部または開口部を有し、その凹部または開口部内に前記挿入孔の外周側に配置される外周側保持部材を収容するようにしたことを要旨とするものである。
【００１９】
この本願請求項６に記載の発明では、前記請求項１〜請求項５のうちいずれか一項に記載の発明の作用に加えて、各保持部材を限られたスペース内で効率よく配置することができて、収容具の小型化を図ることが可能になる。
【００２０】
また、本願請求項７に記載の発明は、前記請求項６に記載の発明において、前記外周側保持部材の上面には、基端部から先端部にかけて下がり勾配を有する傾斜部を設けたことを要旨とするものである。
【００２１】
この本願請求項７に記載の発明では、前記請求項６に記載の発明の作用に加えて、収容物を挿入孔内に挿入する際に、その底部が傾斜部に沿って案内され、その収容物の挿入が容易になる。
【００２２】
また、本願請求項８に記載の発明は、前記請求項６または請求項７に記載の発明において、前記中心側保持部材には、その凹部または開口部を横切るように延びる少なくとも１つの突条を設け、前記外周側保持部材には、その突条との干渉を回避する干渉回避手段を設けたことを要旨とするものである。
【００２３】
この本願請求項８に記載の発明では、前記請求項６または請求項７に記載の発明の作用に加えて、中心側保持部材の先端部とその対向面との距離より大きな外径または幅を有する収容物を挿入孔内に挿入する際に、その収容物の底部が中心側保持部材と外周側保持部材との境界部分に引っ掛かりにくくすることができる。このため、収容物の挿入性が向上される。
【００２４】
また、本願請求項９に記載の発明は、前記請求項１〜請求項８のうちいずれか一項に記載の発明において、前記各保持部材をその基準位置で前記収容物の挿入方向に重合されるように配設したことを要旨とするものである。
【００２５】
この本願請求項９に記載の発明では、前記請求項１〜請求項８のうちいずれか一項に記載の発明の作用に加えて、各保持部材を収容物の挿入方向において、コンパクトに配置することができて、収容具のさらなる小型化を図ることができる。
【００２６】
また、本願請求項１０に記載の発明は、前記請求項１〜請求項９のうちいずれか一項に記載の発明において、前記フレーム部は、前記挿入孔の周縁における前記保持部材の前記先端部と対向する部分の少なくとも一部に前記収容物の挿入方向に向かって突出する突出壁を備えることを要旨とするものである。
【００２７】
この本願請求項１０に記載の発明では、前記請求項１〜請求項９のうちいずれか一項に記載の発明の作用に加えて、収容物と突出壁とを当接させることで、挿入孔に挿入された収容物の移動を規制して、その収容物のがたつきが抑制される。
【００２８】
また、本願請求項１１に記載の発明は、前記請求項１〜請求項１０のうちいずれか一項に記載の発明において、前記挿入孔の中心側に配置される中心側保持部材と、前記挿入孔の外周側に配置される外周側保持部材とを有し、前記収容物がその中央部と底部との間に全周にわたる窪み部を有する場合に、前記基準位置にある外周側保持部材は、前記収容物における前記窪み部より下方の膨らみ部の通過を許容するとともに、前記中心側保持部材はその先端部が回動状態で前記膨らみ部の頂部より下方に当接するようにしたことを要旨とするものである。
【００２９】
この種の収容具では、例えばコカ・コーラ社製の「Diet Coca-Cola」や「コカ・コーラ」の５００ｍｌ用ペットボトルのように、下部のほぼ全周囲に連続した窪み部を有する収容物がフレーム部の挿入孔に挿入されることがある。これに対して、この本願請求項１１に記載の発明では、前記請求項１〜請求項１０のうちいずれか一項に記載の発明の作用に加えて、挿入孔に収容物が挿入された状態で、中心側保持部材及び外周側保持部材の先端部が収容物の前記窪み部内に入り込むことが抑制される。このため、挿入孔内に挿入した収容物が不用意に抜けにくくなることが抑制される。
【００３０】
【発明の実施の形態】
以下に、本発明の収容具を飲み物用容器ホルダに適用した一実施形態について、図１〜図１１を参照して説明する。
【００３１】
図１及び図２に示すように収容具としての飲み物用容器ホルダは、フレーム部２０と、受け部３０と、これらフレーム部２０と受け部３０とを収容する収容部４０とを備えている。
【００３２】
フレーム部２０は、方形状の平面部２１と、同平面部２１の周縁から下方に向かって突出する側壁部２２とを有している。平面部２１には、直径Ｄ（図３参照）が８１．５ｍｍの円形状の挿入孔２３が２個形成されており、これら挿入孔２３の周縁の一部には、平面部２１から下方に向かって突出する周壁部２４が形成されている。
【００３３】
前記受け部３０は、フレーム部２０の平面部２１よりもやや小さな方形状に形成されており、フレーム部２０の各挿入孔２３と対応する位置に凹部３１を有している。そして、同凹部３１の底面が、前記フレーム部２０の挿入孔２３に挿入された飲み物用容器の載置面３２となる。また、受け部３０は、複数（この例では４本）のアーム３３を介してフレーム部２０に対して相対変位可能に支持されている。
【００３４】
前記収容部４０は、その垂直な一面に開口４１を有する箱形状をなしている。この収容部４０内には、前記フレーム部２０及び前記受け部３０が重合された状態で収容可能となっており、この収容部４０に対して、前記フレーム部２０は、水平方向に変位可能に支持されている。そして、収容部４０に収容された状態のフレーム部２０を矢印Ａの方向（図１参照）に変位させると、図２（ａ）に示すように、フレーム部２０の平面部２１が収容部４０の開口４１を介して表出する。このとき、受け部３０がフレーム部２０とともに引き出されるとともに、フレーム部２０から所定距離だけ下方に離間するように変位される。このようにして、飲み物用容器ホルダが、飲み物用容器を保持可能な使用状態となる。
【００３５】
ここで、この挿入孔２３には、外径の異なる各種収容物としての飲み物用容器が挿入される。そして、この挿入された飲み物用容器は、受け部３０の凹部３１の載置面３２上に載置される。
【００３６】
逆に、前記使用状態にあるフレーム部２０を前記矢印Ａとは逆方向に変位させると、フレーム部２０が収容部４０内に挿入されていくに従って、アーム３３の作用により受け部３０がフレーム部２０に接近し、やがて図２（ｂ）に示すように、フレーム部２０と受け部３０とが重合される。そして、フレーム部２０及び受け部３０が、収容部４０内に収容される。このようにして、飲み物用容器ホルダが、非使用状態では、収容部４０内に収容可能になっている。
【００３７】
本実施形態では、図１及び図３に示すように、フレーム部２０の下面側には、挿入孔２３に挿入された飲み物用容器の外面に当接してその容器を保持する保持部材５０が各挿入孔２３につき２個ずつ配設されている。
【００３８】
保持部材５０は、中心側保持部材５１と外周側保持部材５２とから構成されている。各保持部材５１，５２は、それらの先端部５１ａ，５２ａが前記フレーム部２０の挿入孔２３及び周壁部２４の内周面２５から内側に向かって突出するように配置されている。そして、各保持部材５１，５２は、フレーム部２０に対して、それらの基端部５１ｂ，５２ｂが各挿入孔２３につき１つの回動軸５３を中心として飲み物用容器の挿入方向（図３において矢印Ｂにて示す方向）に回動可能に軸支されている。
【００３９】
中心側保持部材５１は、フレーム部２０の挿入孔２３及び周壁部２４の内周面２５から先端部５１ａまでの突出量Ｐ１が大きく、挿入孔２３の中心側に配置されている。一方、外周側保持部材５２は、フレーム部２０の挿入孔２３及び周壁部２４の内周面２５から先端部５２ａまでの突出量Ｐ２が前記突出量Ｐ１よりも小さく、挿入孔２３の外周側に配置されている。なお、各保持部材５１，５２の突出量Ｐは、例えば、それぞれの保持部材５１，５２における前記回動軸５３の延設方向の両端部及び中央部での挿入孔２３の内周面２５からの突出量を平均化するなどして求められる値である。
【００４０】
図４（ａ）に示すように、中心側保持部材５１は、平面視略逆Ｕ字状をなし、前記先端部５１ａと基端部５１ｂとは、棒状の腕部５４を介して接続されている。
【００４１】
中心側保持部材５１の基端部５１ｂは、両腕部５４の先端が互いに接近する方向に膨出し、かつ所定距離だけ離間するように形成されている。同基端部５１ｂにおける前記腕部５４と平行をなす側面には、前記回動軸５３が挿通される挿通孔５６が形成されている。また、前記先端部５１ａは、前記回動軸５３の中心線ｍに沿う方向における中央部５５が同中心線ｍに接近するかたちでフレーム部２０の挿入孔２３よりも直径の小さな円弧の一部を描くように湾曲されている。
【００４２】
また、図４（ａ）及び図５（ａ）に示すように、中心側保持部材５１には、先端部５１ａと基端部５１ｂとの間で先端部５１ａと基端部５１ｂと腕部５４とにより区画され、中心側保持部材５１を上下方向（図４において紙面と直交する方向）に貫通する開口部５７が形成されている。また、中心側保持部材５１には、先端部５１ａの前記中央部５５から回動軸５３に向かって前記開口部５７を横切るように延びる１つの突条５８が形成されている。なお、同突条５８の回動軸側端部５８ａは、図３に示したように、中心側保持部材５１をフレーム部２０に組付けた状態で挿入孔２３の周縁に達するよう延設されている。
【００４３】
一方、図４（ｂ）に示すように、外周側保持部材５２は、平面視略Ｔ字状をなしている。同外周側保持部材５２は、その先端部５２ａが前記中心側保持部材５１の開口部５７における先端部５１ａと基端部５１ｂとの間に収容可能な大きさに形成されている。また、外周側保持部材５２の基端部５２ｂは、前記中心側保持部材５１の開口部５７における両基端部５１ｂ間に収容可能な大きさに形成されている。
【００４４】
また、外周側保持部材５２には、その基端部５２ｂにおける前記回動軸５３と直交する側面に回動軸５３が挿通される挿通孔６０が形成されている。また、同外周側保持部材５２の先端部５２ａは、回動軸５３の中心線ｍに沿う方向における中央部６１が同中心線ｍに接近するかたちでフレーム部２０の挿入孔２３とほぼ同心円状の円弧を描くように湾曲されている。
【００４５】
また、図４（ｂ）及び図５（ｂ）に示すように、外周側保持部材５２の先端部５２ａには、両保持部材５１，５２をフレーム部２０に組付けた状態で中心側保持部材５１の前記突条５８との干渉を回避する干渉回避手段としての１つのスリット部６２が形成されている。同スリット部６２は、外周側保持部材５２の前記中央部６１から回動軸５３に向かって前記先端部５２ａを横切るように延設されている。
【００４６】
また、外周側保持部材５２の先端部５２ａには、その上面６３おけるフレーム部２０の挿入孔２３から突出する部分に前記基端部５２ｂから先端部５２ａに向かって下がり勾配を有する傾斜部６４が形成されている。
【００４７】
図３に示すように、各保持部材５１，５２をフレーム部２０に組付けた状態では、これら保持部材５１，５２は、前記受け部３０とほぼ平行な状態をなす基準位置（図３中の実線にて示す位置）と、受け部３０とほぼ直角な状態をなす折曲位置（図３中の二点鎖線にて示す位置）との間で個々に回動可能である。
【００４８】
また、保持部材５１，５２の回動軸である前記回動軸５３は、フレーム部２０の平面部２１の下面側において挿入孔２３から離間した位置に設けられている。図７に示すように、フレーム部２０の平面部２１には、その下面から下方に突出するリブ２６が各回動軸５３の両端部近傍と対応するように形成されている。各リブ２６には挿通孔２７が形成されており、前記回動軸５３は、その両端部近傍が挿通孔２７に挿通されることにより、リブ２６に支持されている。
【００４９】
また、回動軸５３には、中心側保持部材５１の基端部５１ｂと、外周側保持部材５２の両基端部５２ｂのうちの一方と対応する各部分に付勢部材としてのつる巻きばね６５が巻回されている。各保持部材５１，５２は、対応するつる巻きばね６５により前記折曲位置から基準位置に回動する方向に付勢されている。ここで、中心側保持部材５１にあっては、その腕部５４がフレーム部２０の平面部２１における挿入孔２３の周縁に当接することで、折曲位置から基準位置に向かう方向に基準位置を超えて回動することが規制されている。また、外周側保持部材５２にあっても、その先端部５２ａの一部がフレーム部２０の平面部２１における挿入孔２３の周縁に当接することで、折曲位置から基準位置に向かう方向に基準位置を超えて回動することが規制されている。
【００５０】
また、図３に示すように、外周側保持部材５２は、中心側保持部材５１の開口部５７に収容された状態でフレーム部２０の平面部２１に取着されている。これにより、各保持部材５１，５２が、その基準位置で前記飲み物用容器の挿入方向（図３においてフレーム部２０の平面部２１から受け部３０に向かう方向）に重合するように配設されている。また、中心側保持部材５１の基準位置での先端部５１ａと前記受け部３０の凹部３１の載置面３２との距離Ｈ１と、外周側保持部材５２の基準位置での先端部５２ａと受け部３０の載置面３２との距離Ｈ２とがほぼ一定となるように配置されている。
【００５１】
また、中心側保持部材５１は、基準位置にあるときの先端部５１ａにおける前記挿入孔２３の内周面２５からの突出量Ｐ１が２０ｍｍ〜３０ｍｍの範囲に入るように設定されている。ここで、この突出量Ｐ１は、好ましくは２５ｍｍ〜３０ｍｍの範囲に入るように設定されることが望ましい。
【００５２】
また、外周側保持部材５２は、基準位置にあるときの先端部５２ａにおける前記挿入孔２３の内周面２５からの突出量Ｐ２が５ｍｍ〜２０ｍｍの範囲に入るように設定されている。ここで、この突出量Ｐ２は、好ましくは５ｍｍ〜１５ｍｍの範囲に入るように設定されることが望ましい。
【００５３】
また、図６に示すように、前記フレーム部２０の周壁部２４における保持部材５１，５２の先端部５１ａ，５２ａと対向する部分の一部には、その周壁部２４の他の部分より飲み物用容器の挿入方向（図６において上方から下方に向かう方向）にさらに突出する突出壁２８が形成されている。
【００５４】
上述の構成を有する飲み物用容器ホルダでは、図８に示すように、使用状態にあるフレーム部２０の挿入孔２３に収容物として、例えば２５０ｍｌ缶７０（直径が約５２ｍｍ）が挿入されると、各保持部材５１，５２はともに前記基準位置のままで、折曲位置に向かって回動はしない。そして、フレーム部２０の挿入孔２３に挿入された缶７０は、挿入孔２３と周壁部２４との内周面２５と、基準位置にある中心側保持部材５１の先端部５１ａとにより保持された状態となる。
【００５５】
また、図９に示すように、フレーム部２０の挿入孔２３に収容物として、例えば３５０ｍｌ缶７１（直径が約６０ｍｍ）が挿入されると、中心側保持部材５１が基準位置から折曲位置に向かって所定角度だけ回動し、その先端部５１ａが缶７１の外面に当接する。一方、外周側保持部材５２は、基準位置のままで、折曲位置に向かって回動はしない。そして、フレーム部２０の挿入孔２３に挿入された缶７１は、挿入孔２３と周壁部２４との内周面２５と、所定角度だけ回動した回動状態にある中心側保持部材５１の先端部５１ａと、基準位置にある外周側保持部材５２の先端部５２ａとにより保持された状態となる。
【００５６】
また、図１０に示すように、フレーム部２０の挿入孔２３に、収容物として例えば、米国McDonald's Corporationで用いられるＬサイズカップ７２（直径が約７２（下底）〜１０４（上底）ｍｍ）が挿入されると、両保持部材５１，５２は、それぞれ基準位置から折曲位置に向かって所定角度だけ回動する。そして、フレーム部２０の挿入孔２３に挿入されたカップ７２は、挿入孔２３の周縁と、それぞれ所定角度だけ回動した回動状態にある両保持部材５１，５２の先端部５１ａ，５２ａとにより保持された状態となる。
【００５７】
また、図１１に示すように、フレーム部２０の挿入孔２３に収容物として、例えばコカ・コーラ社製の「Diet Coca-Cola」や「コカ・コーラ」の収容物としての５００ｍｌペットボトル７３（窪み部７４の直径が約５７ｍｍ、膨らみ部７５の直径が約６８ｍｍ）が挿入されると、外周側保持部材５２は基準位置のままである。そして、中心側保持部材５１が基準位置から折曲位置に向かって所定角度だけ回動し、その先端部５１ａがペットボトル７３の膨らみ部７５の頂部７６よりも下方の外面に当接する。そして、フレーム部２０の挿入孔２３に挿入されたペットボトル７３は、挿入孔２３と周壁部２４との内周面２５と、所定角度だけ回動した回動状態にある中心側保持部材５１の先端部５１ａと、基準位置にある外周側保持部材５２の先端部５２ａとにより保持された状態となる。
【００５８】
従って、本実施形態によれば、以下のような効果を得ることができる。
（１）本実施形態では、フレーム部２０の各挿入孔２３につき中心側保持部材５１と外周側保持部材５２との２つの回動可能な保持部材５０を設けた。また、挿入孔２３に対する中心側保持部材５１の突出量Ｐ１と外周側保持部材５２の突出量Ｐ２とが異なるように設定した。これにより、挿入孔２３に挿入された外径の異なる種々の飲み物用容器が、中心側保持部材５１及び外周側保持部材５２により、所定の基準位置またはその保持部材５１，５２の回動量の少ない位置で保持される。このため、飲み物用容器の外径の大小に関わらず、安定した状態でその容器をより確実に保持することができる。
【００５９】
（２）本実施形態では、飲み物用容器がフレーム部２０の挿入孔２３に挿入された際、挿入孔２３に対する突出量の大きな中心側保持部材５１から順に回動されるようにした。これにより、飲み物用容器を挿入孔２３内に挿入するときに、その容器の外径が大きくなるに従って、各保持部材５１，５２が順に回動される。このため、外径が大きい飲み物用容器であってもスムーズに挿入孔２３に収容することができるとともに、飲み物用容器の外径に応じた好適な保持状態を実現することができる。
【００６０】
（３）本実施形態では、各保持部材５１，５２を、中心側保持部材５１の基準位置での先端部５１ａと受け部３０の凹部３１の載置面３２との距離Ｈ１と、外周側保持部材５２の基準位置での先端部５２ａと受け部３０の載置面３２との距離Ｈ２とがほぼ一定となるように配置した。このため、飲み物用容器の挿入方向におけるフレーム部２０の厚さを薄くすることができ、飲み物用容器ホルダとしての全体のコンパクト化を図ることができる。
【００６１】
（４）本実施形態では、中心側保持部材５１と外周側保持部材５２とを、１つの回動軸５３を共有した状態でフレーム部２０に設けた。このため、両保持部材５１，５２をフレーム部２０に組付ける際の組付け作業を容易に行うことができるとともに、飲み物用容器ホルダの製造コストを低減することができる。
【００６２】
（５）本実施形態では、中心側保持部材５１に開口部５７を設け、外周側保持部材５２をこの開口部５７に収容するように、これら両保持部材５１，５２をフレーム部２０に取着した。このため、各保持部材５１，５２を限られたスペース内で効率よく配置することができて、飲み物用容器ホルダの小型化を図ることができる。
【００６３】
（６）本実施形態では、外周側保持部材５２の先端部５２ａの上面６３に、基端部５２ｂから先端部５２ａに向かって下がり勾配を有する傾斜部６４を設けた。このため、飲み物用容器をフレーム部２０の挿入孔２３内に挿入する際に、その容器の底部が前記傾斜部６４に沿って案内され、挿入孔２３への挿入を容易に行うことができる。
【００６４】
（７）本実施形態では、中心側保持部材５１には、開口部５７を横切るように延びる突条５８を設け、外周側保持部材５２には、中心側保持部材５１の突条５８との干渉を回避するスリット部６２を設けた。このため、中心側保持部材５１の先端部５１ａと、その対向面であるフレーム部２０の挿入孔２３の内周面２５との距離より大きな外径を有する飲み物用容器を挿入孔２３内に挿入する際に、その容器の底部が中心側保持部材５１と外周側保持部材５２との境界部分に引っ掛かりにくくすることができる。この結果、飲み物用容器の挿入性を向上することができる。
【００６５】
（８）本実施形態では、中心側保持部材５１と外周側保持部材５２とを、その基準位置で飲み物用容器の挿入方向に重合するようにフレーム部２０に配置した。このため、各保持部材５１，５２を、飲み物用容器の挿入方向においてコンパクトに配置することができて、飲み物用容器ホルダのさらなる小型化を図ることができる。
【００６６】
（９）本実施形態では、フレーム部２０の挿入孔２３の内周面２５における中心側保持部材５１の先端部５１ａと対向する部分の一部に突出壁２８を設けた。このため、挿入孔２３に挿入された飲み物用容器の外面と挿入孔２３の突出壁２８とを当接させることで、その容器の挿入孔２３内での移動を規制して、容器のがたつきを抑制することができる。
【００６７】
（１０）本実施形態では、８１．５ｍｍの直径Ｄを有する挿入孔２３に対して、中心側保持部材５１におけるフレーム部２０の挿入孔２３の内周面２５からの突出量Ｐ１を２０ｍｍ〜３０ｍｍの範囲に入るように設定した。また、外周側保持部材５２におけるフレーム部２０の挿入孔２３の内周面２５からの突出量Ｐ２を５ｍｍ〜２０ｍｍの範囲に入るように設定した。ここで、この種の飲み物用容器ホルダでは、例えばコカ・コーラ社製の「Diet Coca-Cola」や「コカ・コーラ」の５００ｍｌペットボトル７３のように、その下部のほぼ全周囲に連続した窪み部７４を有するものがフレーム部２０の挿入孔２３に挿入されることがある。そして、各保持部材５１，５２における挿入孔２３の内周面２５からの突出量によっては、保持部材５１，５２の先端部５１ａ，５２ａの一部が前記のようなペットボトル７３の窪み部７４に入り込んで、挿入孔２３に挿入されたペットボトル７３が不用意に抜けにくくなることがある。これに対して、各保持部材５１，５２の突出量Ｐを上記の範囲に入るように設定することにより、挿入孔２３にペットボトル７３が挿入された状態で、両保持部材５１，５２の先端部５１ａ，５２ａが前記のようなペットボトル７３の窪み部７４内に入り込むことを抑制することができる。このため、挿入孔２３内に挿入したペットボトル７３が不用意に抜けにくくなることを抑制することができる。
【００６８】
（変形例）
なお、本発明の実施形態は、以下のように変形してもよい。
・前記実施形態では、フレーム部２０は２つの挿入孔２３を備える構成としたが、この挿入孔２３に設けられる挿入孔２３の数は２つには限定されない。同挿入孔２３をフレーム部２０に対して１つまたは３つ以上設ける構成としてもよい。
【００６９】
・また、前記実施形態では、挿入孔２３の直径Ｄを８１．５ｍｍとしたが、この挿入孔２３の直径Ｄの値は８１．５ｍｍには限定されず、任意に設定可能である。また、挿入孔２３の形状は円形には限定されず、例えば、楕円形、多角形、その他の曲線形状等、任意に設定可能である。
【００７０】
・また、前記実施形態において、フレーム部２０の挿入孔２３の突出壁２８を、中心側保持部材５１の先端部５１ａと対向する部分の一部に設ける構成とした。しかし、この突出壁２８を、中心側保持部材５１の先端部５１ａと対向する部分の全体に設ける構成としてもよい。また、この突出壁２８を各保持部材５１，５２の回動に支障を来さない範囲で、さらに広範囲に設けてもよい。さらに、同突出壁２８を省略した構成としてもよい。
【００７１】
・また、前記実施形態において、フレーム部２０の平面部２１に対する挿入孔２３及び保持部材５１，５２の配置態様は任意に設定可能である。
・また、前記実施形態において、各保持部材５１，５２の先端部５１ａ，５２ａを例えば櫛状に形成し、中心側保持部材５１の櫛状部の櫛歯間に外周側保持部材５２の櫛状部の櫛歯を介在させる構成としてもよい。
【００７２】
・また、前記実施形態では、中心側保持部材５１における挿入孔２３の内周面２５からの突出量Ｐ１を２０ｍｍ〜３０ｍｍの範囲に入るように、また、外周側保持部材５２における挿入孔２３の内周面２５からの突出量Ｐ２を５ｍｍ〜２０ｍｍの範囲に入るように設定した。しかし、これら保持部材５１，５２の突出量Ｐの値は、上記範囲には限定されない。同保持部材５１，５２の突出量Ｐの値は、フレーム部２０の挿入孔２３に挿入される飲み物用容器の形状に応じて適宜変更可能である。要は、飲み物用容器がその中央部と底部との間に全周にわたる窪み部を有する場合に、基準位置にある外周側保持部材５２は、容器の前記窪み部より下方の膨らみ部の通過を許容し、中心側保持部材５１はその先端部５１ａが回動状態で前記膨らみ部の頂部より下方に当接するように設定されていればよい。
【００７３】
・また、前記実施形態では、フレーム部２０の各挿入孔２３につき２つの保持部材５０を備える構成とした。しかし、各挿入孔２３に設けられる保持部材５０の数は２つには限定されず、３つ以上設ける構成としてもよい。
【００７４】
・また、前記実施形態では、外周側保持部材５２における先端部５２ａの上面６３に滑らかな傾斜部６４を設ける構成としたが、この傾斜部６４を外周側保持部材５２の基端部５２ｂから先端部５２ａに向かって下がり勾配を有する階段状の傾斜部６４を設ける構成としてもよい。また、この傾斜部６４を省略した構成としてもよい。
【００７５】
・また、前記実施形態では、中心側保持部材５１に、その開口部５７を横切るように延びる１つの突条５８を設ける構成としたが、この突条５８を中心側保持部材５１に対して２つ以上設ける構成としてもよい。
【００７６】
・また、前記実施形態では、中心側保持部材５１に突条５８を設け、外周側保持部材５２に、中心側保持部材５１の突条５８との干渉を回避するスリット部６２を設けた。しかし、例えば、中心側保持部材５１が開口部５７を有しない場合等には、中心側保持部材５１の突条５８と外周側保持部材５２のスリット部６２とを省略した構成としてもよい。
【００７７】
また、外周側保持部材５２に設けられる干渉回避手段としては、スリット部６２には限定されない。このスリット部６２に替えて、例えば、外周側保持部材５２における中心側保持部材５１の突条５８と対応する部分及びその近傍を大きく切り欠いた切り欠き部等として形成する構成としてもよい。
【００７８】
・また、前記実施形態では、中心側保持部材５１は、先端部５１ａと基端部５１ｂとの間に開口部５７を有する構成とした。しかし、例えば図１２に示すように、中心側保持部材５１の先端部５１ａと基端部５１ｂとの間に凹部８０を形成し、この凹部８０に外周側保持部材５２を収容するかたちでこれら保持部材５１，５２をフレーム部２０に対して取着する構成としてもよい。
【００７９】
・また、前記実施形態では、保持部材５１，５２を１つの回動軸５３を共有した状態で配置する構成とした。しかし、例えば図１３に示すように、中心側保持部材５１と外周側保持部材５２とを個別の回動軸５３で軸支する構成としてもよい。
【００８０】
また、このようにした場合、中心側保持部材５１の先端部５１ａと受け部３０の載置面３２との距離Ｈ３と、外周側保持部材５２の先端部５２ａと受け部３０の載置面３２との距離Ｈ４とが一定とならないように、各保持部材５１，５２を配置する構成としてもよい。
【００８１】
また、保持部材５０を、基準位置における先端部の挿入孔２３の内周面２５からの突出量が小さな保持部材５０（図１３では外周側保持部材５２）ほど、その先端部と受け部３０の載置面３２との距離が大きくなるように配置する構成としてもよい。このようにした場合には、フレーム部２０の挿入孔２３に挿入される飲み物用容器の外径が大きくなるほど、その飲み物用容器は、受け部３０からより離間した保持部材５０によって保持されるようになる。このため、外径の拡大に伴って、重心位置がより高い位置に配置された飲み物用容器であっても、その容器をより高い位置で挿入孔２３内での移動を規制することができ、飲み物用容器をより安定した状態で保持することができる。
【００８２】
・また、前記実施形態では、受け部３０を有する飲み物用容器ホルダの例を示したが、本発明は、この受け部３０を有しない飲み物用容器ホルダにも同様に適用することができる。このようにした場合、受け部３０の載置面３２の替わりとして、例えば、フレーム部２０の下方に配置される意匠体の表面等が用いられる。
【００８３】
・また、前記実施形態では、フレーム部２０を収容部４０に対して変位させることで使用状態と収容状態とが切替可能な飲み物用容器ホルダの例を示した。しかし、本発明は、例えば意匠体等に対して変位不能に固定されたフレーム部２０のみを備える飲み物用容器ホルダにも同様に適用することができる。
【００８４】
・また、前記実施形態では、飲み物用容器ホルダの例を示した。しかし、本発明は、飲み物用容器ホルダ以外の収容具、例えば携帯電話ホルダ、フロッピーディスク、光ディスク、光磁気ディスク、カセットテープ用ケース等にも同様に適用することができる。
【００８５】
【発明の効果】
以上詳述したように、本願請求項１に記載の発明によれば、収容物の外径または幅の大小に関わらず、安定した状態でその収容物をより確実に保持することができる。
【００８６】
また、本願請求項２に記載の発明によれば、前記請求項１に記載の発明の効果に加えて、外径または幅が大きい収容物であっても、その収容物をスムーズに挿入孔に収容することができるとともに、収容物の外径または幅に応じた好適な保持状態を実現することができる。
【００８７】
また、本願請求項３または請求項６に記載の発明によれば、前記請求項１または請求項２に記載の発明の効果に加えて、収容具としての全体のコンパクト化を図ることができる。
【００８８】
また、本願請求項４に記載の発明によれば、前記請求項１または請求項２に記載の発明の効果に加えて、収容物をより安定した状態で保持することができる。
また、本願請求項５に記載の発明によれば、前記請求項１〜請求項４のうちいずれか一項に記載の発明の効果に加えて、複数の保持部材をフレーム部に組付ける際の組付け作業を容易に行うことができるとともに、収容具の製造コストを低減することができる。
【００８９】
また、本願請求項７または請求項８に記載の発明によれば、前記請求項６に記載の発明の効果に加えて、フレーム部の挿入孔に対する収容物の挿入性を向上することができる。
【００９０】
また、本願請求項９に記載の発明によれば、前記請求項１〜請求項８のうちいずれか一項に記載の発明の効果に加えて、収容具のさらなる小型化を図ることができる。
【００９１】
また、本願請求項１０に記載の発明によれば、前記請求項１〜請求項９のうちいずれか一項に記載の発明の効果に加えて、フレーム部の挿入孔に挿入された収容物の挿入孔内でのがたつきを抑制することができる。
【００９２】
また、本願請求項１１に記載の発明によれば、前記請求項１〜請求項１０のうちいずれか一項に記載の発明の効果に加えて、フレーム部の挿入孔に挿入された収容物が不用意に抜けにくくなることを抑制することができる。
【図面の簡単な説明】
【図１】一実施形態の飲み物用容器ホルダの分解斜視図。
【図２】（ａ）は使用状態における図１の２―２線断面図、（ｂ）は収容状態における図１の２―２線に対応した断面図。
【図３】図１の３―３線断面図。
【図４】（ａ）は中心側保持部材の正面図、（ｂ）は外周側保持部材の正面図。
【図５】（ａ）は図４の５ａ―５ａ線断面図、（ｂ）は図４の５ｂ―５ｂ線断面図。
【図６】フレーム部の部分斜視図。
【図７】図１の７―７線断面図。
【図８】中心側保持部材と外周側保持部材との回動状態に関する説明図。
【図９】中心側保持部材と外周側保持部材との回動状態に関する説明図。
【図１０】中心側保持部材と外周側保持部材との回動状態に関する説明図。
【図１１】中心側保持部材と外周側保持部材との回動状態に関する説明図。
【図１２】中心側及び外周側保持部材の配設構造の変形例を示す断面図。
【図１３】中心側及び外周側保持部材の配設構造の変形例を示す断面図。
【図１４】従来にかかる収容具の断面構造を示す断面図。
【符号の説明】
２０…フレーム部、２３…挿入孔、２８…突出壁、３０…受け部、３２…載置面、５０…保持部材、５１…保持部材としての中心側保持部材、５１ａ，５２ａ…先端部、５１ｂ，５２ｂ…基端部、５２…保持部材としての外周側保持部材、５３…回動軸、５７…開口部、５８…突条、６２…干渉回避手段としてのスリット部、６３…上面、６４…傾斜部、６５…付勢部材としてのつる巻きばね、７０，７１…収容物としての缶、７２…収容物としてのカップ、７３…収容物としてのペットボトル、７４…窪み部、７５…膨らみ部、７６…頂部、８０…凹部。
【図１】
0003778032.tif 000002
【図２】
0003778032.tif 000003
【図３】
0003778032.tif 000004
【図４】
0003778032.tif 000005
【図５】
0003778032.tif 000006
【図６】
0003778032.tif 000007
【図７】
0003778032.tif 000008
【図８】
0003778032.tif 000009
【図９】
0003778032.tif 000010
【図１０】
0003778032.tif 000011
【図１１】
0003778032.tif 000012
【図１２】
0003778032.tif 000013
【図１３】
0003778032.tif 000014
【図１４】
0003778032.tif 000015